(57)【特許請求の範囲】
【請求項１】
ショーツ本体の股下部の内側に、側方に延出する一対のウイング部を左右両側部に有する吸収性物品固定用の内側股下布を配した生理用ショーツにおいて、前記内側股下布は、その前後端で前記ショーツ本体に固着しており且つ該前後端の間の領域全体が前記ショーツ本体から離隔可能となっており、前記内側股下布の幅よりも狭幅で且つ該内側股下布の剛性を高め得るシート状の剛性向上部材が、該内側股下布の一面におけるウイング部対応領域において、該剛性向上部材の縦中心線がショーツ股下部の縦中心線と一致するように固着されており、前記剛性向上部材は、接着芯、フォーム材、熱融着性繊維を含んだ不織布、又はフォーム材／不織布／織布からなる複合材からなり、且つその曲げ剛性値が５〜２０ｃＮ／ｃｍである生理用ショーツ。
【請求項２】
前記内側股下布における前記ウイング部対応領域の前後の領域には前記剛性向上部材が固着されていない請求項１記載の吸収性物品。
【請求項３】
前記剛性向上部材が前記内側股下布の一部に固着されていると共に該剛性向上部材とは別材の防水シートが前記股下部の全域に固着されている請求項１又は２記載の吸収性物品。
【請求項４】
防水性を有する前記剛性向上部材が前内側股下布の全域に亘り固着されている請求項１記載の吸収性物品。
【請求項５】
前記内側股下布の左右両側縁が、前記ショーツ本体の股下部の左右両側縁よりも側方に延出していない請求項１〜４の何れかに記載の生理用ショーツ。
【発明の詳細な説明】
【０００１】
【発明の属する技術分野】
本発明は、ウイング部を有する吸収性物品の装着操作性に優れた生理用ショーツに関する。
【０００２】
【従来の技術及び発明が解決しようとする課題】
生理用ナプキンやパンティライナなどの吸収性物品をショーツに確実に固定するために、着衣固定用の一対のウイング部を設けた吸収性物品が知られている。斯かるウイング部を有する吸収性物品をショーツに装着すると、折り返されたウイング部がショーツの外面に露出した状態となり見栄えが良くない。また折り返されたウイング部が、着用者の大腿内側やショーツの上に着用するストッキング等の着衣と擦れて、ウイング部がめくれ上がる場合がある。
【０００３】
斯かる不都合を解消するために、登録実用新案第３００２６０７号公報や特開２００１−５５６０２号公報においては、ショーツ股下部を内側布片及び外側布片からなる二重布から構成し、内側布片の外側布片対向面にウイング部を止着するすることで、折り返されたウイングを外部から見えないようにしたショーツが提案されている。しかし、これらの公報に記載のショーツでは、ウイング部が止着される内側布片に十分な剛性（コシ）が無いことから、ウイング部の折り返し及び止着が容易でなく、ウイング部に塗布されている止着用粘着剤が手にまとわりついたり、ショーツの適正な位置以外の位置に貼り付くことがしばしば起こる。また、内側布片にコシが無いことに起因して、該内側布片に固定された吸収性物品が、着用者の動作によって位置ずれを起こし液漏れが起こり易くなる。
【０００４】
従って、本発明は、折り返されたウイングが外部から見えないようにすると共にウイング部の止着操作が容易な生理用ショーツを提供することを目的とする。また本発明は、着用者の動作に起因する吸収性物品の位置ずれ及び液漏れが防止された生理用ショーツを提供することを目的とする。
【０００５】
【課題を解決するための手段】
本発明は、ショーツ本体の股下部の内側に、側方に延出する一対のウイング部を左右両側部に有する吸収性物品固定用の内側股下布を配した生理用ショーツにおいて、前記内側股下布は、その前後端で前記ショーツ本体に固着しており且つ該前後端の間の領域全体が前記ショーツ本体から離隔可能となっており、前記内側股下布の幅よりも狭幅で且つ該内側股下布の剛性を高め得るシート状の剛性向上部材が、該内側股下布の一面におけるウイング部対応領域において、該剛性向上部材の縦中心線がショーツ股下部の縦中心線と一致するように固着されており、前記剛性向上部材は、接着芯、フォーム材、熱融着性繊維を含んだ不織布、又はフォーム材／不織布／織布からなる複合材からなり、且つその曲げ剛性値が５〜２０ｃＮ／ｃｍである生理用ショーツを提供することにより前記目的を達成したものである。
【０００６】
【発明の実施の形態】
以下本発明を、その好ましい実施形態に基づき図面を参照しながら説明する。図１には、本発明の生理用ショーツの一実施形態の斜視図が示されており、図２には生理用ナプキンを装着した状態での生理用ショーツの要部斜視図が示されている。
【０００７】
図１に示す生理用ショーツ１は、側方に延出する一対のウイング部を左右両側部に有する吸収性物品が固定されて着用されるものであり、ショーツ本体２と、該ショーツ本体２の股下部の内側に配された内側股下布３とを有している。内側股下布３は生理用ナプキン等の吸収性物品を固定するために用いられる。ショーツ本体２は、前身頃を構成する前側布４と、後身頃を構成する後側布５と、前身頃と後見頃との間に位置する股下部を構成する外側股下布６とを有している。各布４，５，６は互いに縫合されてショーツ本体２を構成している。各布４，５，６は、肌触りが良く、通気性及び吸湿性が高いことが好ましく、この点から綿を主体とする素材から構成されていることが好ましい。また各布４，５，６は縦横方向に伸縮性を有していることが、着用者の身体とのフィット性を高める点から好ましく、この点からポリウレタン繊維等のエラストマー繊維を少量含んでいることが好ましい。
【０００８】
内側股下布３は、その前後端がショーツ本体２に縫合されて固着されている。縫合位置は、外側股下布６が前側布４及び後側布５と縫合される位置と同位置になっている。縫合された内側股下布３の前後端の間は、その全域が図１に示すようにショーツ本体２から離隔可能になっている。つまり、外側股下布６と内側股下布３とは、前記前後端の間の全域が互いに離隔可能になっている。
【０００９】
内側股下布３及び外側股下布６それぞれの左右両側縁には細幅平ゴムなどの線状伸縮弾性部材１１が伸張状態で縫合されている。
【００１０】
内側股下布３の左右両側縁は、ショーツ本体２の股下部の左右両側縁、つまり外側股下布６の左右両側縁よりも側方に延出していない。これによって、図２に示すように、ウイング部７，７を有する生理用ナプキン等の吸収性物品８を内側股下布３に固定すると、ウイング部７，７の折り返し部７ａが、外側股下布６の左右両側縁よりも内側に位置することになり、外部からウイング部７が一層見えなくなる。また折り返されたウイング部７が着用者の大腿内側や、ストッキング等の着衣と一層擦れにくくなり、ウイング部７のめくれ上がりが効果的に防止される。
【００１１】
図３には、ウイング部７を有する吸収性物品８をショーツ１の内側股下布３に固定した状態を、ショーツ１の内側から見た要部平面図が示されている。また、図４には、図３のIV−IV線断面が、吸収性物品８が省略された状態で示されている。尚、図３中、上側がショーツ１の前身頃側であり、下側が後見頃側である。
【００１２】
図３及び図４に示すように、内側股下布３の外側股下布対向面には、その一部に、縦長矩形状のシート材料が固着されている。該シート材料は、内側股下布３の剛性を高め得るシート状の剛性向上部材９からなっている。剛性向上部材９は、その縦中心線がショーツ股下部の縦中心線と一致するように配されている。また剛性向上部材９は、ショーツ股下部の長手方向に関して、吸収性物品８のウイング部７が止着される領域（以下ウイング部対応領域という）に配されている。斯かる剛性向上部材９を内側股下布３に固着することで、内側股下布３の剛性（コシ）が高まり、吸収性物品８のウイング部７に塗布されている止着用粘着剤１０が手にまとわりついたり、ショーツの適正な位置以外の位置に貼り付くことが効果的に防止されて、ウイング部７の折り返し及び内側股下布３への止着を容易に行うことができる。また、吸収性物品８が固定される内側股下布３に剛性が付与されるので、吸収性物品８を固定したショーツ１の装着中に着用者が激しい動きをしても、吸収性物品８のヨレが起こりにくく、その結果液漏れも起こりにくくなる。
【００１３】
ウイング部対応領域に固着されている剛性向上部材９は、その幅が内側股下布３の幅よりも狭幅となっている。そして、ウイング部７に塗布されている止着用粘着剤１０は、ウイング部７が内側股下布３に止着された状態において、剛性向上部材９の側縁よりも外方であって且つ内側股下布３の側縁よりも内方の位置に位置している。つまり、止着用粘着剤１０は、内側股下布３における剛性向上部材９が固着されていない領域、つまり剛性が向上されていない領域に貼着することになる。従って、このような狭幅の剛性向上部材９を固着させただけでは、ウイング部７の折り返し及び内側股下布３への止着の操作性が向上しにくいと考えられるかも知れないが、本発明者らの検討の結果、剛性向上部材９は、その幅よりも、長手方向の固着位置の方がウイング部止着の操作性に大きく影響することが判明した。更に検討を推し進めたところ、剛性向上部材９を、ショーツ股下部の長手方向に関し、少なくともウイング部対応領域に固着させれば、ウイング部止着の操作性が十分に向上することが判明した。勿論、図５及び図６に示す実施形態のように、剛性向上部材９を、ショーツ股下部の長手方向に関し、ウイング部対応領域に固着させると共にショーツ股下部の幅方向に関し、剛性向上部材９の幅を内側股下布３と略同幅にすれば、ウイング部止着の操作性は更に向上する。尤も図５及び図６に示す実施形態の場合には、剛性向上部材９の使用量が増加し、また着用者の大腿内側へ剛性向上部材９が接触し易くなって装着感が低下する傾向となるので、製造経費と装着感とウイング部止着の操作性とのバランスを考慮して剛性向上部材９の幅を決定すればよい。
【００１４】
本発明者らが詳細に検討したところ、剛性向上部材９の幅が、該剛性向上部材９の固着位置における内側股下布３の幅の少なくとも２０％あれば、ウイング部止着の操作性向上に十分であり、３０〜８０％であると操作性及び装着感が良好となる。また剛性向上部材９自体の幅は、２０〜８０ｍｍ、特に２５〜６０ｍｍであることが好ましい。
【００１５】
ショーツ股下部の長手方向に関する剛性向上部材９の固着位置は、吸収性物品のフィット性及び装着感にも影響し、内側股下布３におけるウイング部対応領域の前側及び／又は後側の位置には剛性向上部材９が固着されていないことが好ましい。これによって内側股下布３自体が有する伸縮性を阻害することなく、内側股下布３に剛性を付与することができる。この点から剛性向上部材９の長さは、内側股下布３の長さの３０〜９０％、特に４０〜６０％であることが好ましい。同様の理由から、内側股下布３の前端位置から剛性向上部材９の前端位置までの距離は、内側股下布３の長さの０〜６０％、特に１５〜５０％であることが好ましい。剛性向上部材９自体の長さは、４０〜１００ｍｍ、特に５０〜８５ｍｍであることが好ましい。また、剛性向上部材９自体の長さは、吸収性物品８のウイング部７に塗布されている止着用粘着剤１０の長さと同程度であるか又はそれ以上の長さであることが、ヨレを防止する観点から好ましい。
【００１６】
剛性向上部材９は前述の通り内側股下布３における外側股下布対向面に固着されているので、ショーツ１の装着時に剛性向上部材９の有する剛性感が着用者に知覚されずらく装着感が向上する。剛性向上部材９を内側股下布３に固着させる手段としては、縫合、接着剤による接合、面ファスナ等の係合手段を用いた係合などが挙げられる。
【００１７】
ウイング部止着の操作性を更に向上させる観点から、剛性向上部材９はその曲げ剛性値が５〜２０ｃＮ／ｃｍである。この場合、剛性向上部材９の曲げ剛性値は、ショーツ股下部の長手方向及び幅方向の何れの方向においても前記範囲内であることが最も好ましいが、少なくとも長手方向を曲げの軸としたときの曲げ剛性値が前記範囲内であれば、ウイング部止着の操作性は十分に向上する。
【００１８】
剛性向上部材９の曲げ剛性値は次の方法にて測定される。図７に示す器具及び引張圧縮試験機（テンシロンＲＴＭ２５、東洋ボールドウィン製）を用い、該引張圧縮試験機を圧縮試験モードにする。図７に示す器具は、２７ｍｍの間隔で配置された一対のプレート２１，２１を備えた断面コ字状の受け部材２２と、先端部が、受け部材２２のプレート２１，２１間に挿入される押し込みプレート２３とからなる。受け部材２２のプレート２１及び押し込みプレート２３は、それぞれ厚みが３ｍｍのアクリル樹脂製で、先端部がＲ１５ｍｍの断面円弧状に形成されている。受け部材２２のプレート２１は、高さが各々５０ｍｍで奥行きが７０ｍｍである。押し込みプレート２３は、高さが６０ｍｍで奥行きが５０ｍｍである。剛性向上部材９をショーツから取り出し、ショーツ股下部の長手方向に４０ｍｍ、幅方向に３０ｍｍにカットする。受け部材２２のプレート２１及び押し込みプレート２３の奥行き方向と剛性向上部材９の長手方向とが約９０度で交差するように、剛性向上部材９のサンプルをプレート２１，２１上に載置する。押し込みプレート２３を引張圧縮試験機に固定した後、該押し込みプレート２３を下降させて、剛性向上部材９のサンプルを、プレート２１，２１間の中央部に５０ｍｍ／分の速度で押し込んでいく。図７の右図に示すように、受け部材２２のプレート２１，２１の先端から、押し込みプレート２３の先端が１０ｍｍ押し込まれた時点におけるサンプルの応力を幅３０ｍｍで除した値を、剛性向上部材９の幅方向の曲げ剛性値とする。長手方向の曲げ剛性値は、ショーツ股下部の長手方向に３０ｍｍ、幅方向に４０ｍｍにカットした剛性向上部材９を用い、同様の方法で測定される。剛性向上部材９が小さく前述した寸法のサンプルが得られない場合には、なるべく長さ４０ｍｍ、幅３０ｍｍに近い大きさにカットし、測定された応力をカットした幅で除した値を曲げ剛性値とする。
【００１９】
曲げ剛性値が前記範囲となるような剛性向上部材９の素材として、衣服における袖や襟の芯地として用いられる接着芯を用いる。斯かる接着芯は、衣料品の技術分野において通常用いられているものであり、本明細書において特に説明を要するものではない。その他の素材としては、ポリウレタン等からなるフォーム材、熱融着性繊維を含んだ各種不織布及びフォーム材／不織布／織布からなる複合材が用いられる。
【００２０】
次に本発明の他の実施形態を図８〜図１３を参照して説明する（但し、図８及び９に示す実施形態は本発明の範囲外のものである）。これらの実施形態については、先に述べた実施形態と異なる点についてのみ説明し、特に説明しない点については、先に述べた実施形態に関して詳述した説明が適宜適用される。また、図８〜図１３において、図１〜図６と同じ部材に同じ符号を付してある。
【００２１】
図８及び図９に示す実施形態のショーツにおいては、内側股下布３の外側股下布対向面全域に、防水性を有する剛性向上部材９を固着してある。これによって、ウイング部止着の操作性を向上させつつ、吸収性物品からの液漏れが阻止されて、ショーツの上に着用される着衣が汚れることが防止される。防水性を有する剛性向上部材９としては、前述した剛性向上部材９の素材に、シリコン系やフッ素系の撥水剤を処理したものや、ポリフッ化エチレン、有孔性ポリウレタン、無孔性ポリウレタン、無孔性ポリエチレン等の材料からなる撥水性のシートを複合化したものなどを挙げることができる。
【００２２】
図１０及び図１１に示す実施形態のショーツにおいては、内側股下布３の外側股下布対向面に、内側股下布３よりも狭幅の剛性向上部材９が、ウイング部対応領域に固着されていると共に、内側股下布３と剛性向上部材９との間に、剛性向上部材９とは別材の防水シート１０が固着されている。防水シート１０は、内側股下布３の外側股下布対向面の全域を覆っている。図１２及び図１３に示す実施形態のショーツにおいても、これらと同形の剛性向上部材９及び防水シート１０が、内側股下布３の外側股下布対向面に固着されている。但し、剛性向上部材９及び防水シート１０の配置の順序が図１０及び図１１に示す実施形態と逆になっている。即ち、内側股下布３の外側股下布対向面全域に、防水シート１０が固着されていると共に、内側股下布３と防水シート１０との間に、剛性向上部材９が固着されている。これらの実施形態においても、ウイング部止着の操作性を向上させつつ、吸収性物品からの液漏れが阻止されて、ショーツの上に着用される着衣が汚れることが防止される。
【００２３】
防水シート１０としては、ポリフッ化エチレン、有孔性ポリウレタン、無孔性ポリウレタン、無孔性ポリエチレン等の材料からなるシート物などを挙げることができる。防水シート１０は、内側股下布３に縫合、接合、係合等の所定の固着手段によって固着されている。
【００２４】
本発明は前記実施形態に制限されない。例えば前記実施形態においては、剛性向上部材を、内側股下布３の外側股下布対向面に固着させたが、これに代えて又はこれと共に、内側股下布３の吸収性物品対向面に固着させてもよい。
【００２５】
また、本発明のショーツに固定される吸収性物品としては、ウイング部を有するものであれば好適に使用でき、その例としては生理用ナプキンが典型的であるが、その他の吸収性物品、例えばパンティライナや失禁パッドなどであってもよい。
【００２６】
【発明の効果】
本発明の生理用ショーツによれば、折り返されたウイングが外部から見えなくなると共にウイング部の止着操作が容易となる。
また本発明の生理用ショーツによれば、固定された吸収性物品のヨレが起こりにくく、液漏れ発生が防止される。
【図面の簡単な説明】
【図１】本発明の生理用ショーツの一実施形態を示す斜視図である。
【図２】生理用ナプキンを装着した状態での生理用ショーツの要部を示す斜視図である。
【図３】生理用ショーツの内側股下布にウイング部を有する吸収性物品を固定した状態を、該生理用ショーツの内側から見た要部平面図である。
【図４】図３のIV−IV線断面を、吸収性物品を省略して示す図である。
【図５】別の剛性向上部材を固着させた生理用ショーツを、その内側から見た要部平面図（図３相当図）である。
【図６】図５のVI−VI線断面図である。
【図７】曲げ剛性値の測定方法を示す図である。
【図８】別の剛性向上部材を固着させた生理用ショーツを、その内側から見た要部平面図（図３相当図）である。
【図９】図８のVIII−VIII線断面図である。
【図１０】別の剛性向上部材及び防水シートを固着させた生理用ショーツを、その内側から見た要部平面図（図３相当図）である。
【図１１】図１０のＸ−Ｘ線断面図である。
【図１２】別の剛性向上部材及び防水シートを固着させた生理用ショーツを、その内側から見た要部平面図（図３相当図）である。
【図１３】図１２のXII−XII線断面図である。
【符号の説明】
１  生理用ショーツ
２  ショーツ本体
３  内側股下布
４  前側布
５  後側布
６  外側股下布
７  ウイング部
８  吸収性物品
９  剛性向上部材
１０  防水シート
【図１】
0003818871.tif 000002
【図２】
0003818871.tif 000003
【図３】
0003818871.tif 000004
【図４】
0003818871.tif 000005
【図５】
0003818871.tif 000006
【図６】
0003818871.tif 000007
【図７】
0003818871.tif 000008
【図８】
0003818871.tif 000009
【図９】
0003818871.tif 000010
【図１０】
0003818871.tif 000011
【図１１】
0003818871.tif 000012
【図１２】
0003818871.tif 000013
【図１３】
0003818871.tif 000014